(57)【要約】【課題】モノクロセンサを用いてカラー画像を得る画像読み取り装置において、カラー画像の色再現性を向上させることである。【解決手段】光源42,43は、白色光を放射する。センサチップ26は、光源42,43が放射した光の内、原稿において反射した光により原稿を撮像する。カラーフィルタ部46,47は、光源42,43とセンサチップ26との間における光の通過経路上に設けられ、複数色のカラーフィルタＣＦＲ，ＣＦＧ，ＣＦＢがマトリクス状に配置されて構成されている。液晶パネル44,45は、光源42,43とセンサチップ26との間における光の通過経路上に設けられ、かつ、各色のカラーフィルタＣＦＲ，ＣＦＧ，ＣＦＢに対応するように設けられている複数の画素であって、対応する色のカラーフィルタＣＦＲ，ＣＦＧ，ＣＦＢを透過した光又は透過する光の透過又は遮断を切り換える複数の画素により構成されている。制御部19は、複数の画素の透過と遮断とを切り換える。【選択図】図２
2012222494.tif 000002
【特許請求の範囲】
【請求項１】
原稿を読み取ってカラー画像を取得する画像読み取り装置であって、
白色光を放射する第１の光源と、
前記第１の光源が放射した光の内、前記原稿において反射した光により該原稿を撮像するモノクロセンサと、
前記第１の光源と前記モノクロセンサとの間における光の通過経路上に設けられ、複数色の第１のカラーフィルタにより構成されている第１のカラーフィルタ部と、
前記第１の光源と前記モノクロセンサとの間における光の通過経路上に設けられ、かつ、前記各色の第１のカラーフィルタに対応するように設けられている複数の第１の光シャッタであって、対応する色の前記第１のカラーフィルタを透過した光又は透過する光の透過又は遮断を切り換える複数の第１の光シャッタにより構成されている第１の選択部と、
前記複数の第１の光シャッタの透過と遮断とを切り換える制御部と、
を備えていること、
を特徴とする画像読み取り装置。
【請求項２】
前記第１の光源が放射した光を拡散して、前記原稿に対して照射する第１の拡散部であって、主走査方向に延在している第１の拡散部を、
更に備えており、
前記第１の光源は、前記第１の拡散部の主走査方向の一方の端部に対向しており、
前記第１のカラーフィルタ部及び前記第１の選択部は、前記第１の光源と前記第１の拡散部の主走査方向の一方の端部との間に設けられていること、
を特徴とする請求項１に記載の画像読み取り装置。
【請求項３】
白色光を放射する第２の光源であって、前記第１の拡散部の主走査方向の他方の端部に対向している第２の光源と、
前記第２の光源と前記モノクロセンサとの間における光の通過経路上に設けられ、複数色の第２のカラーフィルタにより構成されている第２のカラーフィルタ部と、
前記第２の光源と前記モノクロセンサとの間における光の通過経路上に設けられ、かつ、前記各色の第２のカラーフィルタに対応するように設けられている複数の第２の光シャッタであって、対応する色の前記第２のカラーフィルタを透過した光又は透過する光の透過又は遮断を切り換える複数の第２の光シャッタにより構成されている第２の選択部と、
更に備えており、
前記第２のカラーフィルタ部及び前記第２の選択部は、前記第２の光源と前記第２の拡散部の主走査方向の他方の端部との間に設けられていること、
を特徴とする請求項２に記載の画像読み取り装置。
【請求項４】
前記制御部は、
所定色の前記第１のカラーフィルタに対応する前記第１の光シャッタを第１の所定期間にわたって光が透過する状態に制御し、かつ、該第１の所定期間の前半において前記第１の光源を点灯させ、該第１の所定期間の後半において該第１の光源を消灯させ、
前記所定色とは異なる色の前記第２のカラーフィルタに対応する前記第２の光シャッタを第２の所定期間にわたって光が透過する状態に制御し、かつ、該第２の所定期間の前半において前記第２の光源を点灯させ、該第２の所定期間の後半において該第２の光源を消灯させ、
前記第１の所定期間の後半と前記第２の所定期間の前半とは重なっていること、
を特徴とする請求項３に記載の画像読み取り装置。
【請求項５】
前記制御部は、前記第１の光源を点灯して得たデータと、前記第２の光源を点灯して得たデータとに対して、異なる補正を行うこと、
を特徴とする請求項４に記載の画像読み取り装置。
【請求項６】
前記第１の選択部は、液晶パネルであること、
を特徴とする請求項１ないし請求項５のいずれかに記載の画像読み取り装置。
【請求項７】
前記第１の選択部は、ＰＬＺＴ光変更素子であること、
を特徴とする請求項１ないし請求項５のいずれかに記載の画像読み取り装置。
【発明の詳細な説明】
【技術分野】
【０００１】
本発明は、画像読み取り装置に関し、より特定的には、モノクロイメージセンサを用いてカラー画像を得る画像読み取り装置に関する。
【背景技術】
【０００２】
原稿を読み取ってカラー画像を得る画像読み取り装置では、製造コストの低減のために、モノクロセンサが用いられることがある。このような画像読み取り装置は、３色（赤、緑及び青、以下単に、Ｒ、Ｇ、Ｂと呼ぶ）の光を放射するＬＥＤを順次点灯させ、原稿において反射してきた光をモノクロセンサにより受光して、原稿のカラー画像を得る。
【０００３】
ところで、ＬＥＤが光源として用いられた画像読み取り装置は、以下に説明するように、カラー画像の色再現性が悪いという問題を有している。図１０は、ＬＥＤが放射するＲ，Ｇ，Ｂの光の分光特性を示したグラフである。縦軸は強度を示し、横軸は波長を示している。図１１は、人の目のＲ，Ｇ，Ｂの感度特性を示したグラフである。縦軸は三刺激値を示し、横軸は波長を示している。図１１において、ｘ（λ）、ｙ（λ）、ｚ（λ）はそれぞれ、Ｒ，Ｇ，Ｂの光の強度を示している。
【０００４】
図１０に示すように、ＬＥＤが放射するＲの光の波長領域は比較的に狭い。そのため、Ｒの光の波長領域とＧの光の波長領域とは、大きく離れている。これにより、ＬＥＤが光源として用いられた画像読み取り装置では、Ｒの光とＧの光との間の波長領域の色が十分に再現されず、オレンジと茶色のように色相が同じで、明度が異なる色の差異が十分に再現されない。
【０００５】
一方、図１１に示すように、人の目の感度特性は、Ｒの光の感度特性とＧの光の感度特性とが近接している。そのため、オレンジと茶色のように色相が同じで、明度が異なる色の差異を認識することができる。その結果、原稿と原稿を読み取って得たカラー画像とを比較すると、オレンジと茶色とが十分に再現されていないことが認識される。よって、ＬＥＤが光源として用いられた画像読み取り装置では、カラー画像の色再現性が悪い。
【０００６】
そこで、特許文献１に記載の画像読み取り装置が提案されている。特許文献１に記載の画像読み取り装置では、Ｒ，Ｇ，Ｂの光を放射するＬＥＤ及び赤色蛍光ＬＥＤを光源として用いている。赤色蛍光ＬＥＤが放射した光の波長領域は、ＬＥＤが放射したＲの光の波長領域よりも広い。よって、特許文献１に記載の画像読み取り装置では、カラー画像の色再現性が向上する。
【０００７】
以上のように、モノクロセンサを用いてカラー画像を得る画像読み取り装置では、カラー画像の色再現性の向上が課題となっている。
【先行技術文献】
【特許文献】
【０００８】
【特許文献１】特開２００２−３３５３７６号公報
【発明の概要】
【発明が解決しようとする課題】
【０００９】
そこで、本発明の目的は、モノクロセンサを用いてカラー画像を得る画像読み取り装置において、カラー画像の色再現性を向上させることである。
【課題を解決するための手段】
【００１０】
本発明の一形態に係る画像読み取り装置は、原稿を読み取ってカラー画像を取得する画像読み取り装置であって、白色光を放射する第１の光源と、前記第１の光源が放射した光の内、前記原稿において反射した光により該原稿を撮像するモノクロセンサと、前記第１の光源と前記モノクロセンサとの間における光の通過経路上に設けられ、複数色の第１のカラーフィルタにより構成されている第１のカラーフィルタ部と、前記第１の光源と前記モノクロセンサとの間における光の通過経路上に設けられ、かつ、前記各色の第１のカラーフィルタに対応するように設けられている複数の第１の光シャッタであって、対応する色の前記第１のカラーフィルタを透過した光又は透過する光の透過又は遮断を切り換える複数の第１の光シャッタにより構成されている第１の選択部と、前記複数の第１の光シャッタの透過と遮断とを切り換える制御部と、を備えていること、を特徴とする。
【発明の効果】
【００１１】
本発明によれば、モノクロセンサを用いてカラー画像を得る画像読み取り装置において、カラー画像の色再現性を向上させることができる。
【図面の簡単な説明】
【００１２】
【図１】一実施形態に係る画像読み取り装置を主走査方向から透視した図である。
【図２】図１に示す画像読み取り装置のキャリッジの分解斜視図である。
【図３】図１に示す画像読み取り装置を副走査方向から平面視した図である。
【図４】液晶パネル及びカラーフィルタ部を平面視した図である。
【図５】液晶パネル及び光源の駆動波形である。
【図６】光源部がＲの光を原稿Ｐに照射している様子を示した図である。
【図７】光源部がＧの光を原稿Ｐに照射している様子を示した図である。
【図８】カラーフィルタＣＦＲ，ＣＦＧ，ＣＦＢを透過するＲ，Ｇ，Ｂの光の分光特性を示したグラフである。
【図９】センサチップの出力とセンサチップのｙ軸方向の位置との関係（すなわち、配光）を示したグラフである。
【図１０】ＬＥＤが放射するＲ，Ｇ，Ｂの光の分光特性を示したグラフである。
【図１１】人の目のＲ，Ｇ，Ｂの感度特性を示したグラフである。
【発明を実施するための形態】
【００１３】
（画像読み取り装置の構成）
以下に、本発明の一実施形態に係る画像読み取り装置１０について、図面を参照しながら説明する。図１は、一実施形態に係る画像読み取り装置１０を主走査方向から透視した図である。図２は、図１に示す画像読み取り装置１０のキャリッジ１６の分解斜視図である。図３は、図１に示す画像読み取り装置１０を副走査方向から平面視した図である。以下では、鉛直方向をｚ軸方向と定義し、主走査方向をｙ軸方向と定義し、副走査方向をｘ軸方向と定義する。
【００１４】
画像読み取り装置１０は、原稿Ｐに光を照射して、原稿Ｐから反射してきた光を受光することにより、原稿Ｐのカラー画像を得る装置であって、本体１２、プラテンガラス１４、キャリッジ１６、白基準面１８及び制御部１９を備えている。該画像読み取り装置１０は、所謂、コンタクトイメージセンサ方式と呼ばれる読み取り方式が採用された装置である。
【００１５】
制御部１９は、例えば、ＣＰＵにより構成されており、画像読み取り装置１０全体の動作を制御する。
【００１６】
本体１２は、画像読み取り装置１０の筐体であり、キャリッジ１６を格納している。本体１２の上面には、開口が設けられている。プラテンガラス１４は、透明なガラス又は樹脂により作製され、本体１２の開口に嵌め込まれている。プラテンガラス１４の上面には、原稿Ｐが載置される。
【００１７】
キャリッジ１６は、図１に示すように、モータ、プーリー、レール、ベルト等により構成されている搬送部（図示せず）によって、副走査方向に一定の速度Ｖで搬送させられて、原稿Ｐの画像を読み取る。
【００１８】
ここで、キャリッジ１６の詳細について図面を参照しながら説明する。キャリッジ１６は、図２及び図３に示すように、光源部２０ａ，２０ｂ、等倍レンズ２４、センサチップ２６、センサ基板２８及び本体３４を含んでいる。本体３４は、キャリッジ１６の筐体であり、光源部２０ａ，２０ｂ、等倍レンズ２４、センサチップ２６及びセンサ基板２８を格納している。更に、本体３４は、四角形の枠状をなしている。
【００１９】
光源部２０ａ，２０ｂは、異なる波長を有する赤の光ＢＲ、緑の光ＢＧ及び青の光ＢＢを所定時間Ｔの間隔で原稿Ｐに向けて順次放射する。これにより、光ＢＲ，ＢＧ，ＢＢが、プラテンガラス１４を介して原稿Ｐに対して照射される。制御部１９は、光ＢＲ，ＢＧ，ＢＢを所定時間Ｔでこの順に切り替えて照射させるように光源部２０ａ，２０ｂを制御する。ここで、光源部２０ａ，２０ｂの構成について図面を参照しながらより詳細に説明する。
【００２０】
光源部２０ａは、基板４０ａ，４０ｂ、光源４２ａ，４２ｂ、液晶パネル４４ａ，４４ｂ、カラーフィルタ部４６ａ，４６ｂ及び導光体４８を備えている。基板４０ａは、光源部２０ａのｙ軸方向の負方向側の端部に設けられている。光源４２ａは、基板４０ａのｙ軸方向の正方向側の主面上に実装されており、白色光を放射する。基板４０ｂは、光源部２０ａのｙ軸方向の正方向側の端部に設けられている。光源４２ｂは、基板４０ｂのｙ軸方向の負方向側の主面上に実装されており、白色光を放射する。
【００２１】
導光体４８は、ｙ軸方向に延在している透明の樹脂部材であり、光源４２ａ，４２ｂが放射した光を、ｙ軸方向に導いた後、ｚ軸方向の正方向側の主面から放射することによって、原稿Ｐに対して照射する。そこで、光源４２ａは、導光体４８のy軸方向の負方向側の端部に対向している。また、光源４２bは、導光体４８のy軸方向の正方向側の端部に対向している。これにより、光源４２ａ，４２ｂから放射された光は、導光体４８内に入射するようになる。
【００２２】
カラーフィルタ部４６ａは、光源４２ａと導光体４８のｙ軸方向の負方向側の端部との間に設けられており、Ｒ，Ｇ，Ｂの３色のカラーフィルタが光の進行方向（ｙ軸方向）から平面視したときに互いに重ならないように配置されて構成されている。図４は、液晶パネル４４ａ及びカラーフィルタ部４６ａを平面視した図である。
【００２３】
図４（ａ）に示すように、カラーフィルタ部４６ａは、カラーフィルタＣＦＲ，ＣＦＧ，ＣＦＢにより構成されている。カラーフィルタＣＦＲ，ＣＦＧ，ＣＦＢはそれぞれ、Ｒ，Ｇ，Ｂの光のみを透過するフィルタである。カラーフィルタＣＦＲ，ＣＦＧ，ＣＦＢは、マトリクス状に規則的に配列されている。カラーフィルタＣＦＲは、ｘ軸方向の正方向側に進むにしたがってｚ軸方向の正方向側に進むように斜めに配列されている。そして、カラーフィルタＣＦＧは、カラーフィルタＣＦＲの列のｘ軸方向の負方向側に隣接して、カラーフィルタＣＦＲの列と平行に配列されている。カラーフィルタＣＦＢは、カラーフィルタＣＦＧの列のｘ軸方向の負方向側に隣接して、カラーフィルタＣＦＧの列と平行に配列されている。そして、カラーフィルタＣＦＲ，ＣＦＧ，ＣＦＢの列がｘ軸方向にこの順に繰り返されて並んでいる。
【００２４】
液晶パネル４４ａは、光源４２ａと導光体４８のｙ軸方向の負方向側の端部との間に設けられており、より詳細には、光源４２ａとカラーフィルタ部４６ａとの間に設けられている。液晶パネル４４ａは、カラーフィルタＣＦＲ，ＣＦＧ，ＣＦＢのそれぞれに対応するように設けられている複数の画素であって、対応する色のカラーフィルタＣＦＲ，ＣＦＧ，ＣＦＢを透過する光の透過又は遮断を切り換える複数の画素により構成されている。すなわち、液晶パネル４４ａは、カラーフィルタＣＦＲ，ＣＦＧ，ＣＦＢと対応するようにマトリクス状に配列された画素により構成されている。以下では、カラーフィルタＣＦＲに対応する画素をＲの画素と呼び、カラーフィルタＣＦＧに対応する画素をＧの画素と呼び、カラーフィルタＣＦＢに対応する画素をＢの画素と呼ぶ。
【００２５】
制御部１９は、各画素の光の透過と遮断とを切り換える。これにより、図４（ｂ）に示すように、液晶パネル４４ａは、Ｒの光のみをカラーフィルタ部４６ａを透過させることができる。すなわち、導光体４８には、Ｒの光が入射し、導光体４８は、Ｒの光を原稿Ｐに照射する。また、図４（ｃ）に示すように、液晶パネル４４ａは、Ｇの光のみをカラーフィルタ部４６ａを透過させることができる。すなわち、導光体４８には、Ｇの光が入射し、導光体４８は、Ｇの光を原稿Ｐに照射する。また、図４（ｄ）に示すように、液晶パネル４４ａは、Ｂの光のみをカラーフィルタ部４６ａを透過させることができる。すなわち、導光体４８には、Ｂの光が入射し、導光体４８は、Ｂの光を原稿Ｐに照射する。
【００２６】
カラーフィルタ部４６ｂは、光源４２ｂと導光体４８のｙ軸方向の正方向側の端部との間に設けられており、Ｒ，Ｇ，Ｂの３色のカラーフィルタが光の進行方向（ｙ軸方向）から平面視したときに互いに重ならないように配置されて構成されている。なお、カラーフィルタ部４６ｂの構成は、カラーフィルタ部４６ａの構成と同じであるのでこれ以上の詳細な説明を省略する。
【００２７】
液晶パネル４４ｂは、光源４２ｂと導光体４８のｙ軸方向の正方向側の端部との間に設けられており、より詳細には、光源４２ｂとカラーフィルタ部４６ｂとの間に設けられている。液晶パネル４４ｂは、カラーフィルタＣＦＲ，ＣＦＧ，ＣＦＢのそれぞれに対応するように設けられている画素であって、対応する色のカラーフィルＣＦＲ，ＣＦＧ，ＣＦＢを透過する光の透過又は遮断を切り換える画素により構成されている。なお、液晶パネル４４ｂの構成は、液晶パネル４４ａと同じであるのでこれ以上の詳細な説明を省略する。
【００２８】
光源部２０ｂは、基板４１ａ，４１ｂ、光源４３ａ，４３ｂ、液晶パネル４５ａ，４５ｂ、カラーフィルタ部４７ａ，４７ｂ及び導光体４９を備えている。光源部２０ｂは、光源部２０ａよりもｘ軸方向の負方向側に光源部２０ａと平行に設けられている。ただし、光源部２０ｂの構成は光源部２０ａの構成と同じであるので、これ以上の説明を省略する。
【００２９】
導光体４８，４９から出射した光は、原稿Ｐで反射し、等倍レンズ２４に入射する。等倍レンズ２４は、原稿Ｐで反射した光を集光して、センサチップ２６の受光部に等倍で結像させる。センサチップ２６は、光源部２０ａ，２０ｂが放射した光の内、原稿Ｐにおいて反射し、等倍レンズ２４により集光された光により原稿Ｐを撮像するモノクロの１ラインセンサである。センサ基板２８は、図３に示すように、センサチップ２６が実装される回路基板であり、センサチップ２６から電気信号を読み出して、図示しないＡＤコンバータに出力する。
【００３０】
（画像読み取り装置の動作）
次に、画像読み取り装置１０の動作について図面を参照しながら説明する。図５は、液晶パネル４４ａ，４４ｂ，４５ａ，４５ｂ及び光源４２ａ，４２ｂ，４３ａ，４３ｂの駆動波形である。図６は、光源部２０ａ，２０ｂがＲの光を原稿Ｐに照射している様子を示した図である。図７は、光源部２０ａ，２０ｂがＧの光を原稿Ｐに照射している様子を示した図である。
【００３１】
制御部１９は、Ｒの画素を所定期間Ｔ１にわたって光が透過する状態に制御し、かつ、所定期間Ｔ１の前半Ｔ１ｆにおいて光源４２ａ，４３ａを点灯させる。これにより、図６に示すように、導光体４８，４９のｙ軸方向の負方向側の端部からＲの光が入射する。そして、Ｒの光は、導光体４８，４９内を導光され、原稿Ｐに対して照射される。センサチップ２６は、原稿Ｐにおいて反射したＲの光を受光し、画像データを制御部１９に出力する。
【００３２】
制御部１９は、所定期間Ｔ１の後半Ｔ１ｓにおいて光源４２ａ，４３ａを消灯させる。更に、制御部１９は、所定期間Ｔ１の前半Ｔ１ｆの経過後に、Ｇ（すなわち、Ｒとは異なる色）の画素を所定期間Ｔ２にわたって光が透過する状態に制御し、かつ、所定期間Ｔ２の前半Ｔ２ｆにおいて光源４２ｂ，４３ｂを点灯させる。ここで、所定期間Ｔ１の後半Ｔ１ｓと所定期間Ｔ２の前半Ｔ２ｆとは重なっている。これにより、図７に示すように、導光体４８，４９のｙ軸方向の正方向側の端部からＧの光が入射する。そして、Ｇの光は、導光体４８，４９内を導光され、原稿Ｐに対して照射される。センサチップ２６は、原稿Ｐにおいて反射したＧの光を受光し、画像データを制御部１９に出力する。
【００３３】
制御部１９は、所定期間Ｔ２の後半Ｔ２ｓにおいて光源４２ｂ，４３ｂを消灯させる。更に、制御部１９は、所定期間Ｔ２の前半Ｔ２ｆの経過後に、Ｂ（すなわち、Ｇとは異なる色）の画素を所定期間Ｔ３にわたって光が透過する状態に制御し、かつ、所定期間Ｔ３の前半Ｔ３ｆにおいて光源４２ａ，４３ａを点灯させる。ここで、所定期間Ｔ２の後半Ｔ２ｓと所定期間Ｔ３の前半Ｔ３ｆとは重なっている。これにより、導光体４８，４９のｙ軸方向の負方向側の端部からＢの光が入射する。そして、Ｂの光は、導光体４８，４９内を導光され、原稿Ｐに対して照射される。センサチップ２６は、原稿Ｐにおいて反射したＢの光を受光し、画像データを制御部１９に出力する。以上の動作により、制御部１９は、１ライン分のカラー画像の画像データを得る。この後、制御部１９は、同様の動作を繰り返すことにより、原稿のカラー画像を得る。
【００３４】
（効果）
本実施形態に係る画像読み取り装置１０によれば、以下に説明するように、モノクロセンサが用いられた場合であっても、カラー画像の色再現性を向上させることができる。図８は、カラーフィルタＣＦＲ，ＣＦＧ，ＣＦＢを透過するＲ，Ｇ，Ｂの光の分光特性を示したグラフである。縦軸は強度を示し、横軸は波長を示している。
【００３５】
画像読み取り装置１０では、光源４２ａ，４２ｂ，４３ａ，４３ｂは白色光を放射する。そして、カラーフィルタ部４６ａ，４６ｂ，４７ａ，４７ｂは、マトリクス状に配列されたカラーフィルタＣＦＲ，ＣＦＧ，ＣＦＢにより構成されており、液晶パネル４４ａ，４４ｂ，４５ａ，４５ｂは、Ｒ，Ｇ，Ｂの画素の透過又は遮断を切り換えることによって、カラーフィルタＣＦＲ，ＣＦＧ，ＣＦＢを透過する光の透過又は遮断を切り換える。これにより、画像読み取り装置１０では、光源にＬＥＤを用いることなく、Ｒ，Ｇ，Ｂの光を原稿Ｐに照射している。
【００３６】
ここで、図８及び図１０に示すように、カラーフィルタＣＦＲ，ＣＦＧ，ＣＦＢを透過したＲ，Ｇ，Ｂの光の分光特性におけるＲの光の波長領域とＧの波長領域との間隔は、ＬＥＤが放射するＲ，Ｇ，Ｂの光の分光特性におけるＲの光の波長領域とＧの波長領域との間隔よりも狭い。そのため、画像読み取り装置１０では、ＬＥＤが光源として用いられた従来の画像読み取り装置よりも、Ｒの光とＧの光との間の波長領域の色が十分に再現される。したがって、画像読み取り装置１０では、オレンジと茶色のように色相が同じで、明度が異なる色の差異が十分に再現される。よって、画像読み取り装置１０では、カラー画像の色再現性が向上する。
【００３７】
また、画像読み取り装置１０では、高速で原稿Ｐを読み取ることができる。より詳細には、画像読み取り装置１０では、高速で原稿Ｐを読み取るためには、液晶パネル４４ａ，４４ｂ，４５ａ，４５ｂの透過と遮断とを高速で切り換える必要がある。しかしながら、液晶パネル４４ａ，４４ｂ，４５ａ，４５ｂでは、透過と遮断との切り替え時には一定の遅延時間が発生する。そのため、液晶パネル４４ａ，４４ｂ，４５ａ，４５ｂの遅延時間よりも短時間で原稿Ｐに照射する光の色を切り換えることができない。
【００３８】
そこで、画像読み取り装置１０では、導光体４８，４９のｙ軸方向の両端に光源４２ａ，４２ｂ，４３ａ，４３ｂ、液晶パネル４４ａ，４４ｂ，４５ａ，４５ｂ及びカラーフィルタ部４６ａ，４６ｂ，４７ａ，４７ｂが設けられている。そして、制御部１９は、Ｒの画素を所定期間Ｔ１にわたって光が透過する状態に制御し、かつ、所定期間Ｔ１の前半Ｔ１ｆにおいて光源４２ａ，４３ａを点灯させ、所定期間Ｔ１の後半Ｔ１ｓにおいて光源４２ａ，４３ａを消灯させる。更に、制御部１９は、所定期間Ｔ１の前半Ｔ１ｆの経過後に、Ｇ（すなわち、Ｒとは異なる色）の画素を所定期間Ｔ２にわたって光が透過する状態に制御し、かつ、所定期間Ｔ２の前半Ｔ２ｆにおいて光源４２ｂ，４３ｂを点灯させ、所定期間Ｔ２の後半Ｔ２ｓにおいて光源４２ｂ，４３ｂを消灯させる。これにより、Ｒ，Ｇ，Ｂの光の色の切り換わりの周期よりも長い周期で液晶パネル４４ａ，４４ｂ，４５ａ，４５ｂの透過と遮断との切り換えが行われるようになる。その結果、画像読み取り装置１０では、Ｒ，Ｇ，Ｂの光の切り換わりの周期を短くすることができ、高速で原稿Ｐを読み取ることが可能となる。
【００３９】
（その他の実施形態）
本発明に係る画像読み取り装置は、前記実施形態に係る画像読み取り装置１０に限らずその要旨の範囲内において変更可能である。
【００４０】
図９は、センサチップ２６の出力とセンサチップ２６のｙ軸方向の位置との関係（すなわち、配光）を示したグラフである。図９では、液晶パネル４４ａ，４５ａのＲの画素が透過に制御されとき（すなわち、光源４２ａ，４３ａが点灯したとき）の配光、及び、液晶パネル４４ｂ，４５ｂのＲの画素が透過に制御されたとき（すなわち、光源４２ｂ，４３ｂが点灯したとき）の配光を調べた。
【００４１】
図９に示すように、液晶パネル４４ａ，４５ａのＲの画素が透過に制御されたときの配光と、液晶パネル４４ｂ，４５ｂのＲの画素が透過に制御されたときの配光とは異なっている。そこで、制御部１９は、液晶パネル４４ａ，４５ａのＲの画素が透過に制御されたときに得たデータと、液晶パネル４４ｂ，４５ｂのＲの画素が透過に制御されたときに得たデータとに対して異なる補正を行ってもよい。具体的には、制御部１９は、光源４２ａ，４３ａを点灯させてセンサチップ２６に白基準面１８を読み取らせると共に、光源４２ｂ，４３ｂを点灯させてセンサチップ２６に白基準面を読み取らせて補正係数を得る。そして、制御部１９は、補正係数に基づいて、液晶パネル４４ａ，４５ａのＲの画素が透過に制御されたときに得たデータと、液晶パネル４４ｂ，４５ｂのＲの画素が透過に制御されたときに得たデータとに対して補正を行う。
【００４２】
なお、液晶パネル４４ａ，４４ｂ，４５ａ，４５ｂの代わりにＰＬＺＴ変更素子が用いられてもよい。
【００４３】
また、液晶パネル４４ａ，４４ｂ，４５ａ，４５ｂ及びカラーフィルタ部４６ａ，４６ｂ，４７ａ，４７ｂは、光源４２ａ，４２ｂ，４３ａ，４３ｂと導光体４８，４９との間に設けられているとした。しかしながら、液晶パネル４４ａ，４４ｂ，４５ａ，４５ｂ及びカラーフィルタ部４６ａ，４６ｂ，４７ａ，４７ｂは、光源４２ａ，４２ｂ，４３ａ，４３ｂとセンサチップ２６とのいずれかの位置に設けられていればよい。
【００４４】
また、液晶パネル４４ａ，４４ｂ，４５ａ，４５ｂとカラーフィルタ部４６ａ，４６ｂ，４７ａ，４７ｂとの位置関係は入れ替わっていてもよい。この場合、液晶パネル４４ａ，４４ｂ，４５ａ，４５ｂは、カラーフィルタ部４６ａ，４６ｂ，４７ａ，４７ｂを透過した光の透過又は遮断を切り換える。
【産業上の利用可能性】
【００４５】
以上のように、本発明は、画像読み取り装置に有用であり、特に、モノクロセンサを用いてカラー画像を得る画像読み取り装置において、カラー画像の色再現性を向上させることができる点において優れている。
【符号の説明】
【００４６】
ＣＦＢ，ＣＦＧ，ＣＦＲ  カラーフィルタ
１０  画像読み取り装置
１２  本体
１４  プラテンガラス
１６  キャリッジ
１８  白基準面
１９  制御部
２０ａ，２０ｂ  光源部
２４  等倍レンズ
２６  センサチップ
２８  センサ基板
３４  本体
４０ａ，４０ｂ，４１ａ，４１ｂ  基板
４２ａ，４２ｂ，４３ａ，４３ｂ  光源
４４ａ，４４ｂ，４５ａ，４５ｂ  液晶パネル
４６ａ，４６ｂ，４７ａ，４７ｂ  カラーフィルタ部
４８，４９  導光体
【図１】
2012222494.tif 000003
【図２】
2012222494.tif 000004
【図３】
2012222494.tif 000005
【図４】
2012222494.tif 000006
【図５】
2012222494.tif 000007
【図６】
2012222494.tif 000008
【図７】
2012222494.tif 000009
【図８】
2012222494.tif 000010
【図９】
2012222494.tif 000011
【図１０】
2012222494.tif 000012
【図１１】
2012222494.tif 000013